(57)【要約】【課題】  保持できる釣り竿の数を必要に応じて増減できる釣り竿支持装置を提供する。【解決手段】  釣り竿(41,41,43)を挿入させる竿筒(16,16,16)を立てて保持できるとともに、保持できる釣り竿の数を増やすための補助装置(20)を着脱可能な釣り竿支持装置(10)である。  補助装置(20)は、竿筒(16)へ固定されるエキストラ固定具(21)と、下部エキストラ固定具(30)と、釣り竿支持装置(10)の竿筒(16)とは別の竿筒(18,19)を固定可能な竿筒連結具(25,26)と、を備える。竿筒連結具(25,26)は、エキストラ固定具(21)に対して回動可能であるように固定する。下部エキストラ固定具(30)は、竿筒(16)の下部に対して固定される下部固定具(31)と、竿筒連結具(25,26)を介して固定される竿筒(18,19)を支持する筒支持具(35,37)と、を備える。筒支持具(35,37)は、前記の下部固定具(31)に対して回動可能であるように固定する。【選択図】  図６
2015123066.tif 000002
【特許請求の範囲】
【請求項１】
釣り竿を挿入させる竿筒を立てて保持できる釣り竿支持装置に対して、保持できる釣り竿の数を増やすための補助装置であって、
前記の竿筒へ固定されるエキストラ固定具と、
前記の釣り竿支持装置の竿筒とは別の竿筒を固定可能な竿筒連結具と、を備え、
その竿筒連結具は、前記のエキストラ固定具に対して回動可能であるように固定した釣り竿支持装置の補助装置。
【請求項２】
前記のエキストラ固定具は、釣り竿支持装置の竿筒における上部へ固定することとして、当該竿筒における下部には下部エキストラ固定具を備え、
その下部エキストラ固定具は、前記の竿筒に対して固定される下部固定具と、
前記の竿筒連結具を介して固定される竿筒を支持する筒支持具と、を備え、
その筒支持具は、前記の下部固定具に対して回動可能であるように固定した請求項１に記載の釣り竿支持装置の補助装置。
【請求項３】
釣り竿を挿入させる竿筒を立てて保持できるとともに、保持できる釣り竿の数を増やすための補助装置を着脱可能な釣り竿支持装置であって、
前記の補助装置は、前記の竿筒へ固定されるエキストラ固定具と、  前記の釣り竿支持装置の竿筒とは別の竿筒を固定可能な竿筒連結具と、を備え、
その竿筒連結具は、前記のエキストラ固定具に対して回動可能であるように固定することとした釣り竿支持装置。
【請求項４】
前記のエキストラ固定具は、釣り竿支持装置の竿筒における上部へ固定することとして、当該竿筒における下部には下部エキストラ固定具を備え、
その下部エキストラ固定具は、前記の竿筒に対して固定される下部固定具と、
前記の竿筒連結具を介して固定される竿筒を支持する筒支持具と、を備え、
その筒支持具は、前記の下部固定具に対して回動可能であるように固定した請求項３に記載の釣り竿支持装置。
【発明の詳細な説明】
【技術分野】
【０００１】
本発明は、釣り竿を立てて保持する釣り竿支持装置に付属させて保持できる釣り竿の数を増やすことができる補助装置、およびその保持装置を備えた釣り竿支持装置に関する。
【背景技術】
【０００２】
状況や対象魚に応じて釣り竿を変更する、という釣りをする場合、用意した複数の釣り竿を立て掛けておくため、釣り用三脚が提供されている。この釣り用三脚とは、伸縮可能な三本の脚部によって複数の筒体を立設させ、その筒体へ釣り竿を挿通させて用いる。代表的な釣り用三脚としては、特許文献１に開示されている。
【０００３】
特許文献１に開示された釣り竿支持装置は、下方へ向かって放射状に広がる３本の脚部と、それら脚部の間にできる３つの空間へそれぞれ一つずつ支持された筒状の釣り竿支持部を３つ備えている。
脚部を伸長させることで釣り竿支持部の位置が高くなり、釣り竿を挿通させて支持する位置も高くなり、結果として釣り竿を安定して保持できる。
【０００４】
特許文献１に開示された釣り竿支持装置では、３本の釣り竿を保持できるが、４本、５本といった釣り竿を保持できる釣り竿支持装置も提供されている。
釣り竿支持装置は、釣り竿のみならず、タモを立て掛けておくといった使い方もできるので、堤防釣りにおいて２本の釣り竿とタモを保持させておく、といった使い方をする釣り人も多い。
【０００５】
さて、近年、決められた時間内に対象魚をどれだけ釣り上げられるか、といった釣りの競技会が盛んになりつつある。前述した釣り竿支持装置は、堤防釣りのみならず、こうした競技会において重宝する。
競技会のルールにもよるが、釣り竿を５本まで使ってよいとする競技会が一般化しつつある。
【先行技術文献】
【特許文献】
【０００６】
【特許文献１】特開２００９−５０１８７号公報
【発明の概要】
【発明が解決しようとする課題】
【０００７】
さて、競技に参加しようという釣り人は、制限本数の釣り竿を持ち込めた方が競技では有利と考えるのが普通である。したがって、競技会へ参加する場合には、多くの釣り竿を保持できる釣り竿支持装置が使われることとなる。
【０００８】
しかし、競技会へ参加する釣り人の多くは、競技会とは無関係な日常的な釣りにおいてまで、４本、５本といった釣り竿を必要とすることはない。たとえば、５本の釣り竿を保持できる釣り竿支持装置を競技会参加用に購入した釣り人は、日常の釣りにおいて、使わない余分な保持部を伴った釣り竿支持装置を持ち運ぶこととなってしまう。
【０００９】
本発明が解決しようとする課題は、保持できる釣り竿の数を必要に応じて増減できる釣り竿支持装置を提供することにある。
【課題を解決するための手段】
【００１０】
（第一の発明）
第一の発明は、  釣り竿(41,41,43)を挿入させる竿筒(16,16,16)を立てて保持できる釣り竿支持装置(ロッドスタンド10)に対して、保持できる釣り竿の数を増やすための補助装置(エキストラスタンド20)に係る。
前記の竿筒(16)へ固定されるエキストラ固定具(21)と、  前記の釣り竿支持装置(10)の竿筒(16)とは別の竿筒(18,19)を固定可能な竿筒連結具(25,26)と、を備える。
その竿筒連結具(25,26)は、前記のエキストラ固定具(21)に対して回動可能であるように固定する。
【００１１】
（用語説明）
『釣り竿(41,41,43)を挿入させる竿筒(16,16,16)』にいう「挿入」とは、竿筒(16,16,16)の少なくとも上端が開口されていることを意味し、下端までも開口されている場合には、挿入して貫通（「挿通」）させることとなる。
『竿筒(16,16,16)を立てて保持できる』にいう「立てて保持」とは、竿筒(16,16,16)の軸方向が垂直である場合のほか、やや傾斜していても含むことを意図している。
竿筒連結具(25,26)について、『釣り竿支持装置(10)の竿筒(16)とは別の竿筒(18,19)を固定可能』とは、竿筒(18,19)が物理的に別の存在であることを意図しているのみであり、外観形状は同じであることが望ましい。部品として共通化が可能だからである。
【００１２】
（作用）
釣り竿支持装置(10)は、竿筒(16,16,16)を立てて保持している。その竿筒(16,16,16)は、釣り竿(41,41,43)を挿入させ、保持することができる。
その竿筒(16)へエキストラ固定具(21)を固定し、そのエキストラ固定具(21)に対して竿筒連結具(25,26)を固定する。その竿筒連結具(25,26)に対し、釣り竿支持装置(10)の竿筒(16)とは別の竿筒(18,19)を固定する。これによって保持できる釣り竿の数を増やすことができる。
換言すれば、保持できる釣り竿の数が釣り竿支持装置(10)で足りる場合には、補助装置(20)を釣り竿支持装置(10)から外せばよい。
【００１３】
竿筒連結具(25,26)は、エキストラ固定具(21)に対して回動可能であるので、保持された釣り竿同士が干渉しない位置へ竿筒連結具(25,26)を回動させて調整すればよい。すなわち、ほとんどの釣り竿にはリールが付属しているが、リールと他の釣り竿とがぶつかって釣り竿を傷つけることを防ぐことができる。
【００１４】
（第一の発明のバリエーション１）
第一の発明は、以下のように形成すると、より好ましい。
すなわち、前記のエキストラ固定具(21)は、釣り竿支持装置(10)の竿筒(16)における上部へ固定することとして、当該竿筒(16)における下部には下部エキストラ固定具(30)を備える。
その下部エキストラ固定具(30)は、前記の竿筒(16)に対して固定される下部固定具(基礎リング31)と、前記の竿筒連結具(25,26)を介して固定される竿筒(18,19)を支持する筒支持具(補助リング35,37)と、を備える。  その筒支持具(補助リング35,37)は、前記の下部固定具(基礎リング31)に対して回動可能であるように固定する。
【００１５】
（作用）
保持できる釣り竿の数を増やすための竿筒(18,19)は、その上部をエキストラ固定具(21)にて固定され、下部を下部エキストラ固定具(30)にて支持される。よって、竿筒(18,19)が釣り竿支持装置(10)に対して、より安定して支持固定されることとなる。
【００１６】
（第二の発明）
釣り竿(41,41,43)を挿入させる竿筒(16,16,16)を立てて保持できるとともに、保持できる釣り竿の数を増やすための補助装置(エキストラスタンド20)を着脱可能な釣り竿支持装置(ロッドスタンド10)に係る。
前記の補助装置(20)は、前記の竿筒(16)へ固定されるエキストラ固定具(21)と、  前記の釣り竿支持装置(10)の竿筒(16)とは別の竿筒(18,19)を固定可能な竿筒連結具(25,26)と、を備える。そして、その竿筒連結具(25,26)は、前記のエキストラ固定具(21)に対して回動可能であるように固定する。
【００１７】
（第二の発明のバリエーション１）
第二の発明は、以下のように形成すると、より好ましい。
すなわち、前記のエキストラ固定具(21)は、釣り竿支持装置(10)の竿筒(16)における上部へ固定することとして、当該竿筒(16)における下部には下部エキストラ固定具(30)を備える。
その下部エキストラ固定具(30)は、前記の竿筒(16)に対して固定される下部固定具(基礎リング31)と、前記の竿筒連結具(25,26)を介して固定される竿筒(18,19)を支持する筒支持具(補助リング35,37)と、を備える。  その筒支持具(補助リング35,37)は、前記の下部固定具(基礎リング31)に対して回動可能であるように固定する。
【発明の効果】
【００１８】
第一の発明によれば、釣り竿支持装置が保持できる釣り竿の数を必要に応じて増減できる補助装置を提供することができた。
第二の発明によれば、保持できる釣り竿の数を必要に応じて増減できる釣り竿支持装置を提供することができた。
【図面の簡単な説明】
【００１９】
【図１】本願発明の実施形態を示す全体斜視図である。
【図２】本願発明の実施形態に用いる釣り竿支持装置の主要部を示す斜視図である。
【図３】本願発明の実施形態に用いる釣り竿支持装置の組み立て斜視図である。
【図４】本願発明の実施形態に係る釣り竿支持装置の補助装置を示す組み立て斜視図である。
【図５】本願発明の実施形態に係る釣り竿支持装置の補助装置を示す組み立て斜視図である。
【図６】本願発明の実施形態に係る釣り竿支持装置および補助装置を示す組み立て斜視図である。
【図７】本願発明の実施形態を示す全体斜視図である。
【図８】本願発明の実施形態を示す平面図である。
【図９】本願発明の実施形態における主要部を示す平面図である。
【図１０】本願発明の実施形態における主要部を示す斜視図である。
【発明を実施するための形態】
【００２０】
以下、本願発明を実施形態および図面に基づいて更に詳しく説明する。ここで用いる図面は、図１から図１０である。図２および図３は、単独でも使用可能な釣り竿支持装置（ロッドスタンド１０）を示す。図４および図５は、ロッドスタンド１０に付属させて用いる補助装置（エキストラスタンド２０）を示す。図１および図６から図１０は、ロッドスタンド１０へエキストラスタンド２０を付属させた状態を示す。
【００２１】
まず、図２および図３を用いて、ロッドスタンド１０について説明する。
このロッドスタンド１０は、伸縮自在である丸棒状の脚部１２，１２，１２の上端を回動可能であるように固定するスタンド基部１１と、そのスタンド基部１１を水平とした場合に鉛直下方へ延ばされた丸棒状の支持棒１４と、スタンド基部１１における支持棒１４とは反対側に固定されるハンドル１７とを備える。
【００２２】
支持棒１４の下端には、脚部１２，１２，１２を折り畳んだ場合に畳まれた状態を保持するとともに、釣り竿を挿通させて保持するための竿筒１６，１６，１６の下方部分を保持するための筒下部支持具１５が固定されている。
この筒下部支持具１５は、図２（ｂ）に示すように、支持棒１４の下端に固定される基部１５Ａと、放射状に３つ配置したリング状の筒支持リング１５Ｂと、２つの筒支持リング１５Ｂに挟まれた場所に位置するΩ字形の脚支持リング１５Ｃとからなる。その脚支持リング１５Ｃは、図２（ａ）に示すように、縮められた脚部１２，１２，１２が押し込まれ、脚部１２，１２，１２が広がらないように支持する。
【００２３】
支持すべき釣り竿を挿通させる竿筒１６は、図３に示すように両端を開けた筒体であり、このロッドスタンド１０に固定される３つの竿筒１６は、すべて同じ形状をなしている（後述するエキストラスタンド２０に用いる竿筒１８，１９とも同じ形状である）。その上部には、水平断面形状を凸字形とした筒掛け部１６Ａを備えている。
一方、前述したスタンド基部１１における３つの側面には、筒掛け部１６Ａを上から挿入させて係合するアリ溝（下端は支持棒１４側へ貫通しないように形成されている）状の筒支持部１３を備えている。
【００２４】
ハンドル１７は、Ｌ字形をなしており、図２（ａ）の状態とするような場合、たとえば保管収納時には、脚部１２側へ先端部を回動させて畳むことで収納スペースを減らすことができる。畳んでいない状態の時には、釣り人はこのハンドルを持つことで、釣り竿を保持したまま移動させることができる。
【００２５】
次に、図４および図５を用いてロッドスタンド１０に付属させて用いるエキストラスタンド２０を説明する。
このエキストラスタンド２０は、本実施形態では、ロッドスタンド１０に固定される竿筒１６のうちハンドル１７の持ち手部分から一番遠い竿筒１６へ固定されて用いられる。
【００２６】
エキストラスタンド２０は、ロッドスタンド１０の竿筒１６における上部へ固定される上部エキストラ固定具２１と、当該竿筒１６における下部へ固定される下部エキストラ固定具３０とからなる。下部エキストラ固定具３０は、強く固定するのではなく、上部エキストラ固定具２１を補助する程度である。そのため、着脱は容易である。
【００２７】
図４（ａ）に示すように、上部エキストラ固定具２１は、内径が竿筒１６の外径と一致する断面円弧状をなすとともに両端を外側へ屈曲させている。その外側へ屈曲させた部位に面合わせする部位およびその部位から円弧状をなす部位で形成された上基部支持具２２と、上部エキストラ固定具２１とによって竿筒１６における上部へ巻き付けられ、ボルト２３およびナット２４によって締結される。
【００２８】
図４（ｂ）に示すように、上部エキストラ固定具２１には、縦方向の貫通孔を備えた２つの細パイプ部２１Ａと、その細パイプ部２１Ａの上端部分に形成したローレット部２１Ｂとを備えている。そのローレット部２１Ｂには、前述した筒支持部１３と同じ形状のアリ溝を備えた竿筒上部連結具２５，２６が填め合わされる。竿筒上部連結具２５，２６は、填め合わされた後に、前記の貫通孔を上部連結ネジ２７が下方から挿通してネジ止めされる。
ローレット部２１Ｂの存在により、竿筒上部連結具２５，２６は、上部連結ネジ２７を少し緩めることで所定角度ごとに回動させることができる。
【００２９】
下部エキストラ固定具３０は、内径が竿筒１６の外径と一致する断面円弧状をなす基礎リング３１と、その基礎リング３１に対して回動させることが可能な２つの補助リング３５，３７とからなる。基礎リング３１は、上部エキストラ固定具２１のローレット部２１Ｂと同じ角度を離した関係にある２つの補助リング用ローレット３２を備えている。そして、補助リング３５，３７には、補助リング用ローレット３２に填め合わされる貫通孔３６を備えている。
【００３０】
図５（ａ）に示すように、基礎リング３１は竿筒１６の下部へ填められ、補助リング３５，３７は、上部エキストラ固定具２１における２つの竿筒上部連結具２５，２６と同じ配置に調整される。
追加される竿筒１８，１９は、ロッドスタンド１０の竿筒１６と同じ型のものであり、筒掛け部１８Ａ，１９Ａを備えている。その筒掛け部１８Ａ，１９Ａは、竿筒上部連結具２５，２６へ挿入され、竿筒１８，１９の下方部分は、貫通孔３６を用いて填め合わされた補助リング３５，３７に支持されることとなる。
【００３１】
図６（ａ）および（ｂ）には、上部エキストラ固定具２１および下部エキストラ固定具３０にて、竿筒１８，１９を追加で固定した竿筒１６を、ロッドスタンド１０へ組み付ける状態を示している。すなわち、竿筒１６の筒掛け部１６Ａをスタンド基部１１の筒支持部１３へ填め合わせ、竿筒１６の下部を筒支持リング１５Ｂへ挿通させることで、ロッドスタンド１０は５本の釣り竿を保持することができるようになる。
【００３２】
図７および図８には、５本の釣り竿を保持したロッドスタンド１０を示している。説明の都合上、５本の釣り竿は同じリールが装着された同じ竿で説明したが、位置関係を区別するため、部品番号を異ならせて説明する。
ロッドスタンド１０のハンドル１７側に位置する竿筒に保持される釣り竿は４１、その釣り竿４１に装着されているリールは４２とする。ハンドル１７と反対側に位置する竿筒に保持される釣り竿は４３、その釣り竿４３に装着されているリールは４４とする。更に、上部エキストラ固定具２１および下部エキストラ固定具３０を伴った竿筒に保持される釣り竿は、図７中の左側を４５、右側を４７とする。そして釣り竿４５に装着されているリールを４６、釣り竿４７に装着されているリールを４８とする。
【００３３】
図８にて図示されているが、エキストラ固定具２１，３０を伴った竿筒１８，１９は、脚部１２，１２，１２における接地する側の先端に囲まれた空間の内側へ位置するようにしている。竿筒１８，１９にて保持される釣り竿釣り竿４５，４７の下端が接地しない場合であっても、安定して釣り竿４１，４３，４５，４７を保持するためである。
【００３４】
図９および図１０に示したのは、図８にて明らかなように、釣り竿４３，４５，４７にそれぞれ装着されたリール４４，４６，４８は、干渉するおそれがある。上部エキストラ固定具２１のローレット２１Ｂおよび補助リング用ローレット３２が存在することにより、竿筒１８，１９の配置を調整することができる。それによって、リール４４，４６，４８や釣り竿４３，４５，４７が干渉し、釣り竿４３，４５，４７を傷つけてしまう事態を事前に防ぐこととしている。
【００３５】
前述してきた実施形態においては、ロッドスタンド１０のハンドル１７と反対側に位置する竿筒１６にのみ、２つの竿筒１８，１９を追加で固定できることとして説明した。現状の競技会で使用できる釣り竿の数が５本までであるため、これで足りる。
しかし、ロッドスタンド１０のハンドル１７側に位置する竿筒１６へ竿筒１８，１９を追加することを排除するものではない。
【産業上の利用可能性】
【００３６】
本発明は、釣り用品の製造業、釣り用品のレンタル業、アウトドアスポーツのインストラクター事業などにおいて、利用可能性を有する。
【符号の説明】
【００３７】
１０；  ロッドスタンド
１１；  スタンド基部                  １２；  脚部
１３；  筒支持部                      １４；  支持棒
１５；  筒下部支持具                  １５Ａ；基部
１５Ｂ；筒支持リング                  １５Ｃ；脚支持リング
１６；  竿筒                          １６Ａ；筒掛け部
１７；  ハンドル
１８；  竿筒                          １８Ａ；筒掛け部
１９；  竿筒                          １９Ａ；筒掛け部
２０；  エキストラスタンド（補助装置）
２１；  上部エキストラ固定具          ２１Ａ；細パイプ部
２１Ｂ；ローレット
２２；  上基部支持具                  ２３；  ボルト
２４；  ナット
２５；  竿筒上部連結具                ２６；  竿筒上部連結具
２７；  上部連結ネジ
３０；  下部エキストラ固定具          ３１；  基礎リング（下部固定具）
３２；  補助リング用ローレット
３５；  補助リング                    ３６；  補助リング回動リング孔
３７；  補助リング
４１；  竿                            ４２；  リール
４３；  竿                            ４４；  リール
４５；  竿                            ４６；  リール
４７；  竿                            ４８；  リール
【図１】
2015123066.tif 000003
【図２】
2015123066.tif 000004
【図３】
2015123066.tif 000005
【図４】
2015123066.tif 000006
【図５】
2015123066.tif 000007
【図６】
2015123066.tif 000008
【図７】
2015123066.tif 000009
【図８】
2015123066.tif 000010
【図９】
2015123066.tif 000011
【図１０】
2015123066.tif 000012